(57)【要約】本発明は、パッケージ化された物品上で熱収縮するよう形成された熱収縮可能なプラスチック材料製スリーブ（１１）を形成する物品パッケージ用の包装体に関する。スリーブは、折り曲げられて二つの関連する端部領域を組み付けることによって閉鎖することにより得られる。二つの端部領域（１２、１３）は略近接して対向する自由縁部（１２．１、１３．１）を有しており、これらはオーバーラップストリップ（１５）によって相互に組み付けられる。オーバーラップストリップ（１５）は、対向する二つの自由縁部の両方の面において端部領域をスリーブ（１１）の一方の面（１４）に接合する。スリーブ（１１）の他の面（１６）は概ね平滑なままである。従って、内面または外面が極めて満足のいく外観であって内面が印刷されたリサイクル可能な収縮性スリーブを形成することができる。
2005529815.tif 000002
【特許請求の範囲】
【請求項１】
一つまたは複数の物品をパッケージ化する包装体であって、前記包装体は前記物品上で収縮する熱収縮性プラスチック材料からなるスリーブ（１１）により形成されており、前記スリーブは半分に折り曲げられて二つの関連する端部領域を一体にすることによりループ状にされたフィルムから得られている包装体において、
前記二つの関連する端部領域（１２、１３）が、対面する自由縁部（１２．１、１３．１）に本質的に接触しており、これら端部領域はオーバーラップストリップ（１５）により一体にされており、オーバーラップストリップ（１５）は、対面する二つの自由縁部（１２．１、１３．１）のうちの両方の側部が在るスリーブ（１１）の一方の面において両方の端部領域に結合されており、スリーブ（１１）の他方の面は本質的に平滑であることを特徴とする包装体。
【請求項２】
前記オーバーラップストリップ（１５）が前記スリーブ（１１）の前記外面（１４）において前記端部領域（１２、１３）に接合しており、前記スリーブ（１１）の前記内面（１６）が本質的に平滑である請求項１に記載の包装体。
【請求項３】
前記スリーブ（１１）の前記本質的に平滑な内面（１６）が装飾されており、透明であることによって、その装飾部（２０）は外部から見えるようにした請求項２に記載の包装体。
【請求項４】
前記オーバーラップストリップ（１５）が前記スリーブ（１１）の前記内面（１６）において前記端部領域（１２、１３）に接合しており、前記スリーブ（１１）の前記外面（１４）は本質的に平滑である請求項１に記載の包装体。
【請求項５】
前記オーバーラップストリップ（１５）は、熱融着、超音波溶接または接着剤などの手段により前記端部領域（１２、１３）に結合される請求項１から４のいずれか一項に記載の包装体。
【請求項６】
前記オーバーラップストリップ（１５）は接着剤などにより前記端部領域（１２、１３）に接合しており、対面する前記自由縁部（１２．１、１３．１）の両側における接着係数は同一であるかまたは異なるようにした請求項１から４のいずれか一項に記載の包装体。
【請求項７】
前記オーバーラップストリップ（１５）を結合させるのに使用される物質が適切な溶媒に溶解でき、それにより、パッケージ化された物品をさらに適切にリサイクルすることができるようにした請求項６に記載の包装体。
【請求項８】
前記オーバーラップストリップ（１５）を結合させるのに使用される物質が剥離式接着剤であり、それにより、前記ストリップの取外しおよび前記スリーブ（１１）の開放を容易にするようにした請求項６または７に記載の包装体。
【請求項９】
前記スリーブ（１１）の前記外面（１４）に接合していないかまたは隔離された場所のみにおいて前記外面（１４）に接着するフラップ（１５．１、１５．２、１５’．１、１５’．２）によって、前記オーバーラップストリップ（１５）が少なくとも一側において横方向に延びている請求項１から３および５から８のいずれか一項に記載の包装体。
【請求項１０】
前記各フラップ（１５．１、１５．２）は、前記スリーブ（１１）の前記外面（１４）に接合した前記オーバーラップストリップ（１５）の部分に切込線（２１）を介して連結されており、それにより、前記フラップを取外すことができるようにした請求項９に記載の包装体。
【請求項１１】
前記各フラップ（１５’．１、１５’．２）は内方切欠部（１８．１、１８．２）を有しており、それにより、前記パッケージ化された物品を把持するためのハンドルとして前記フラップを使用できるようにした請求項９または１０に記載の包装体。
【請求項１２】
前記オーバーラップストリップ（１５）は、前記対面する自由縁部（１２．１、１３．１）付近において前記オーバーラップストリップの長手方向に延びるマイクロパーフォレーションからなる少なくとも一つの線（１９）を有しており、それにより、前記スリーブ（１１）を引き開くことができるようにした請求項１から１１のいずれか一項に記載の包装体。
【請求項１３】
前記スリーブ（１１）の前記壁部は、前記オーバーラップストリップ（１５）が接合している少なくとも一つの領域付近においてマイクロパーフォレーションからなる線（２２）を有しており、その結果、前記スリーブ（１１）を引き開くことができるようにした請求項１から１１のいずれか一項に記載の包装体。
【請求項１４】
前記オーバーラップストリップ（１５）は一端においてプルタブ（２３）により延びている請求項１２または１３に記載の包装体。
【請求項１５】
前記オーバーラップストリップ（１５）は幅方向に高い収縮力を有する単方向熱収縮性プラスチック材料または二方向プラスチック材料から形成されており、それにより、前記オーバーラップストリップ（１５）は前記スリーブ（１１）の壁部と一緒に前記物品上に収縮するようにした請求項１から１４のいずれか一項に記載の包装体。
【発明の詳細な説明】
【技術分野】
【０００１】
本発明は、物品をパッケージ化する分野に関する。さらに特別には、本発明は、関連する物品上で熱収縮するために熱収縮性プラスチック材料からなるスリーブにより形成された包装体により形成されるパッケージに関する。
【背景技術】
【０００２】
一つまたは複数の物品をパッケージして熱収縮するためにこれら物品周りに配置されるスリーブの形態をなして形成された熱収縮スリーブを使用している物品のパッケージ化技術は約３０年間にわたって既に使用されている。物品の一部分が大幅に異なる場合であっても物品上でスリーブを均一に収縮させるために、熱の場をスリーブの外部に加えることによって熱収縮させる技術は完全に習得されている。さらに、スリーブ上に印刷してスリーブを物品上で収縮させた後であっても印刷部分が読取可能なままであるようにした歪像技術も習得されている。このことは製薬または化粧品の分野で特に重要である。
【０００３】
この形式の技術においては、包装体は、半分に折り曲げられて二つの関連する端部領域を一体化することにより閉鎖されたフィルムから得られる熱収縮性プラスチック材料製スリーブにより形成されている。全ての場合において、フィルムの二つの関連する端部領域が半分に折り曲げられてオーバーラップされ、このときには二つの端部領域は一方の端部領域の上方に他方の端部領域が配置されており、その結果、そのように形成されると一方の端部領域がスリーブの外面に属すると共に他方の端部領域がスリーブの内面に属するようになる。一般的に、熱融着作用または低温硬化接着剤もしくは熱により再活性化する接着剤によって、端部領域は互いに接着的に結合される。
【０００４】
当該端部領域の間のそのようなオーバーラップ部分によって、当業者に周知である一定数の欠点が生じるようになる。
【０００５】
これら欠点のうちの最初の欠点は、結果として形成されるスリーブの内面に鋭利な縁部が生ずることである。パッケージ化のための物品が金属製である場合、例えば物品が光沢面を有する場合に、このような縁部によって引掻きが生じうる。第二の欠点は、前工程においてスリーブの内面の全周囲に印刷するのが困難であることである。このような印刷作用は、フィルムが半分に折り曲げられてスリーブを形成する前であってフィルムが平坦であるときに行われることが理解されよう。オーバーラップする端部領域に対応するストリップは印刷された装飾箇所を損なう。スリーブを形成するために透明のプラスチックフィルムを使用する必要があるので、損なわれた装飾箇所は外部から必然的に見えることになる。
【０００６】
最終的に、オーバーラップする端部領域において補強される機械的または化学的連結部に固有の欠点は、この連結部の略非破壊特性によって、マイクロパーフォレーションからなる線を備えた引裂きストリップを設ける必要があることである。例えばフラスコまたはボトルが閉鎖されている領域にアクセスするために熱収縮スリーブを開放することが望まれるときに、マイクロパーフォレーションからなる線が使用される。当業者は、この形式の連結部、特に熱融着に使用される場合の連結部を極めて正確には制御できず、その結果、通常は常に極めて高い接着係数を制御できないことを知っている。最終的に、リサイクルされるのに適した物品、例えばポリエチレンテレフタレート（ＰＥＴ）からなるボトルを使用することが望まれる場合には、端部領域がオーバーラップしている補強された連結部は、スリーブが該スリーブが包囲する物品に関連したままであって、残念なことにスリーブはリサイクル可能なプラスチック材料から常に形成されるわけではないことを意味している。
【０００７】
熱収縮に関連した技術分野は、以下の文書、米国特許第６１２６９５９号明細書、英国特許公開２２８０６５６号公報、国際公開第ＷＯ９７／２８０６２号および米国特許第５７７５０１９号明細書に示されており、これらを以下、簡潔に教示する。
【０００８】
米国特許第６１２６９５９号明細書は、取除き可能なフラップを備えていて、二つの折曲げ部と二つの封止用線より形成された熱収縮性プラスチック材料製包装構造体を示している。物品上に熱収縮した後で、この構造体は、包装体の全高さを超えて延びる半径方向縁部を形成するのが分かる。このことは、面が平滑であることを要求することにならない。
【０００９】
英国特許公開２２８０６５６号公報は、スリーブ形成線に沿って配置された引裂ストリップを通常の方法で有する熱収縮スリーブを示している。
【００１０】
さらに、国際公開第ＷＯ９７／２８０６２号は幅狭ポケットを備えた包装体を示している。平滑面を形成するのを要求することに疑問の余地はない。
【００１１】
米国特許第５７７５０１９号明細書は並置された二つの区画を備えた熱収縮スリーブを示している。一方の区画は任意に取外し可能であって物品を包囲せず、従って、補助機能（説明書または手袋を収容するポケット、もしくは対応した切欠により形成されたハンドル）を行うことはない。
【００１２】
最終的に、技術的背景を示す他の文書が存在するが、これらは熱収縮スリーブと直接的に関係がない。
【００１３】
紙から形成された包装体については、紙製スリーブの二つの縁部の間の連結橋部を示している日本国特開平０８−０５８７５６号を参照することができる。この橋部は熱収縮性ストリップのセグメントにより設けられている（収縮時に、紙製スリーブは収縮するストリップのセグメントの周囲寸法によって引き締められる）。また、日本国特開平０４−０１８２５０号は、折り曲げられた二つの補強用紙製ストリップが物品の両側に固定されている。重なり合っていて物品保持用ハンドルを形成する二つのフラップを形成するために、紙製ストリップは取外し可能な自由端部を有している。
【００１４】
ラバー製包装体については、ボトル上で閉鎖していて把持用ハンドルとして機能する突出部を有するラバー製スリーブを示している米国特許第４７９６９３７号明細書を参照することができる。対面する縁部は一緒に結合されて包装用円筒部を形成する。
【発明の開示】
【発明が解決しようとする課題】
【００１５】
本発明の目的は、半分に折り曲げられているフィルムの端部領域の間において熱融着または接着されたオーバーラップ部分が存在することに基づく前述した欠点を有していない物品パッケージ用の高性能包装体を提供することである。
【課題を解決するための手段】
【００１６】
本発明によれば、この問題は、一つまたは複数の物品をパッケージ化する包装体であって、前記包装体は前記物品上で収縮する熱収縮性プラスチック材料からなるスリーブにより形成されており、前記スリーブは半分に折り曲げられて二つの関連する端部領域を一体にすることにより閉鎖されたフィルムから得られている包装体において、前記二つの関連する端部領域が、対面する自由縁部に本質的に接触しており、これら端部領域はオーバーラップストリップにより一体にされており、オーバーラップストリップは、対面する二つの自由縁部のうちの両方の側部が在るスリーブの一方の面において両方の端部領域に結合されており、スリーブの他方の面は本質的に平滑であることを特徴とする包装体によって解決される。
【００１７】
特別な実施形態においては、前記オーバーラップストリップが前記スリーブの前記外面において前記端部領域に接合しており、前記スリーブの前記内面が本質的に平滑である。特に、前記スリーブの前記本質的に平滑な内面が装飾されており、透明であることによって、その装飾部は外部から見えるようにした。
【００１８】
本質的に平滑な内面が存在することによって、物品の壁部が破損しやすいかまたは光沢面であるときに、物品が引掻かれるあらゆる危険性を避けられる。
【００１９】
変更例においては、前記オーバーラップストリップが前記スリーブの前記内面において前記端部領域に接合しており、前記スリーブの前記外面は本質的に平滑である。
【００２０】
実施例によって、平滑な外面を有するスリーブは香水の分野で特に歓迎され、それにより、保持されるときに包装体の外部が良好な美観を有するようになる。
【００２１】
前記オーバーラップ領域は、熱融着、超音波溶接または接着剤などの手段により前記端部領域に結合される。この場合には、対面する二つの自由縁部の両側における接着係数を同じにするか、または異なるようにできる。接着剤などを使用するときには、前記オーバーラップストリップを結合させるのに使用される接着剤またはワニスなどの物質が適切な溶媒に溶解でき、それにより、パッケージ化された物品をさらに適切にリサイクルすることができるようにした。包装された物品が使用後に廃棄されるときには、包装された物品を溶媒の浴槽に浸すことで十分である、それにより、スリーブを自然に開放させて、パッケージ化された物品から分離することができる。前記オーバーラップストリップを結合させるのに使用される接着剤またはワニスなどの物質が剥離式接着剤であり、それにより、前記ストリップの取外しおよび前記スリーブの開放を容易にするようにしてもよい。
【００２２】
他の実施形態においては、前記スリーブの前記外面に接合していないかまたは隔離された場所のみにおいて前記外面に接着するフラップによって、前記オーバーラップストリップが少なくとも一側において横方向に延びている。特に、前記各フラップは、前記スリーブの前記外面に接合した前記オーバーラップストリップの部分に切込線を介して連結されており、それにより、前記フラップを取外すことができるようにしてもよい。
【００２３】
変更例においては、前記各フラップは内方切欠部を有しており、それにより、前記パッケージ化された物品を把持するためのハンドルとして前記フラップを使用できるようにした。
【００２４】
特別な他の実施形態においては、前記オーバーラップストリップは、前記対面する自由縁部付近において前記オーバーラップストリップの長手方向に延びるマイクロパーフォレーションからなる少なくとも一つの線を有しており、それにより、前記スリーブを引き開くことができるようにした。
【００２５】
さらに、前記スリーブの前記壁部は、前記オーバーラップストリップが接合している少なくとも一つの領域付近においてマイクロパーフォレーションからなる線を有しており、その結果、前記スリーブを引き開くことができるようにした。
【００２６】
そのような環境下においては、前記オーバーラップストリップは一端において開放用のプルタブにより延びている。
【００２７】
最終的に、前記オーバーラップストリップは幅方向に高い収縮力を有する単方向熱収縮性プラスチック材料または二方向プラスチック材料から形成されており、それにより、前記オーバーラップストリップは前記スリーブの壁部と一緒に前記物品上に収縮するようにした。
【発明を実施するための最良の形態】
【００２８】
本発明の他の特性および本発明の他の利点は以下の説明および特別の実施形態を示す添付図面を参照することによりさらに明確になるであろう。
【００２９】
図１および図２は、物品をパッケージ化するための本発明に基づく包装体を示す図である。包装体はこの場合には単一の物品１を包装する役目を果たしている。香水用スプレーとして構成される物品１は、スプレーノズル４が備えられたプッシュボタン式のキャップ３が設置されている本体２を具備している。円形連結領域５は本体２とキャップ３との間における断面変化の大きい部分に対応している。
【００３０】
パッケージ用包装体１０は熱収縮性プラスチック材料からなるスリーブ１１より構成されている。両端部において開放しているスリーブ１１は、二つの平行な横断方向面を占める二つの自由縁部１７を含んでいる。本願明細書においてはスリーブ１１は完全な円筒形状ではなくて、二つの端部折曲部を有する開放鞘部の形態をなしている。しかしながら、この形式のスリーブはリール上に巻かれた平坦な鞘部から一部分を切断することによっても得られることに留意されたい。
【００３１】
従って、スリーブ１１は、半分に折り曲げられて、関連する二つの端部領域を一体化することにより閉鎖されたフィルムより得られる。本発明の本質的特徴によれば、関連する二つの端部領域１２、１３は本質的に接触する自由縁部１２．１、１３．１に対面している。これら端部領域１２、１３はオーバーラップストリップ１５によって一体化されており、オーバーラップストリップ１５は、対面する二つの自由縁部１２．１、１３．１のうちの両方の側部が在るスリーブ１１の一方の面において両方の端部領域に結合されており、スリーブ１１の他方の面は本質的に平滑なままである。
【００３２】
従って、半分に折り曲げられて、端部領域を互いにオーバーラップさせて一体化することにより閉鎖されたフィルムより得られる熱収縮スリーブを形成するための一般的な使用技術とは異なり、この場合には、端部領域は縁部と縁部とが向かい合わせで配置され、それにより、オーバーラップストリップ１５を担持する面とは反対側にあるスリーブの面が完全に平滑になるようになる。
【００３３】
図１の変更例においては、オーバーラップストリップ１５はスリーブ１１の外面１４において端部領域１２、１３に接合し、それにより、スリーブ１１の内面１６が本質的に平滑になるようになる。
【００３４】
一旦、スリーブ１１が物品１上に配置されると、スリーブ１１は通常の方法により物品１上で熱収縮され、その結果、図３に示される形状が得られるようになる。次いで、物品１は熱収縮スリーブにより本体２およびキャップ３の両方周りで包囲される。
【００３５】
オーバーラップストリップ１５は非晶質プラスチック材料より形成されうる。このような場合にはオーバーラップストリップ１５は収縮作用に関係しないが、このことは実際にはオーバーラップストリップ１５の幅が小さい限りにおいては関係ない。それにもかかわらず、オーバーラップストリップ１５が幅方向に高い収縮力を有する単方向熱収縮性プラスチック材料または二方向プラスチック材料から形成されているのが好ましく、それにより、オーバーラップストリップ１５自体がスリーブ１１の壁部と共に物品上に収縮するようになる。その結果、オーバーラップストリップ１５は収縮時にスリーブ１１の壁部の変形部分に「追従」するようになる。
【００３６】
図４の断面図は、自由縁部（縁部１２．１、１３．１）が自由縁部に押し当たるスリーブ１１を構成するフィルムの二つの端部を明確に示している。このように縁部に対して縁部を配置することによって、一方の端部領域が他方の端部領域にオーバーラップしている閉鎖されたフィルムの通常の形態において必然的に生じる鋭利な縁部が排除される。これにより、物品の壁部が破損しやすい場合に物品に傷が形成されるというあらゆる危険性が排除される。
【００３７】
図５から図７に示されるように、変更例においては、オーバーラップストリップ１５がスリーブ１１の内面１６において端部領域１２、１３に結合されている。この場合には、スリーブ１１の外面１４が本質的に平滑になる。香料の分野における場合でありうるように、このように完全に清浄な外観を有するよう形成された熱収縮スリーブによってパッケージ化される物品が望まれる場合には、このような実施形態が更に特別に望ましい。
【００３８】
スリーブの平滑な内方壁部の他の利点は、洗練された装飾を伴う印刷をスリーブの全内面にわたって行う可能性があることであり、フィルムが半分に折り曲げられてスリーブを形成する前であってフィルムがまだ平坦であるときに印刷作用は行われる。図８はこの利点を示しており、スリーブ１１の本質的に平滑な内面１６がこの場合にはパターン２０により装飾されているのが分かる。フィルムが透明であるので、このパターン２０を外部から見ることができる。特に、パターン２０は三つの文字「Ａ」により表されており、これら文字のうちの一つは対面する自由縁部１２．１、１３．１に跨って配置されている。端部領域１２、１３の間にオーバーラップ部分が存在せず、またフィルムの端部は自由縁部に対して自由縁部が押し当たるように配置されるので、フィルムが平坦なときに形成される印刷部分は、スリーブを形成するためにフィルムが半分に折り曲げられることによって影響を受けない。従って、全３６０°の円筒形状表面はスリーブの印刷および／または装飾のために全体として利用可能である。この目的のために、昇華可能なインクを使用する印刷技術を使用することができる。スリーブの収縮により生じる力は昇華可能なインクの使用により形成された装飾をパッケージ化された物品に転移するのに寄与する。
【００３９】
一般的に、オーバーラップストリップ１５がどのような位置であるとしても、熱融着作用または超音波溶接作用によってオーバーラップストリップ１５を端部領域１２、１３に結合させられる。変更例においては、オーバーラップストリップ１５は接着剤などによって端部領域１２、１３に結合される。
【００４０】
接着剤を使用するときには、対面する自由縁部１２．１と自由縁部１３．１との両面の接着係数を同じにするか、または環境に応じて異なるようにすることができる。接着性ストリップであるオーバーラップストリップ１５は接着剤またはワニスからなるコーティングを受容しうる。これら接着剤またはワニスは、スリーブの壁部の縁部の間における接触領域の両側部の幅の各半分に対して選択される。次いで、関連する適用例に応じて、接着係数を完全に制御することができ、その結果、スリーブを開放するのに要求される引裂力を正確に決定することができる。そのような引裂力は計画中の各適用例に対して特有である。
【００４１】
さらに、オーバーラップストリップ１５のために接着剤などを使用するときには、適切な溶媒、例えば高温水に溶解する接着剤またはワニスを使用でき、それにより、パッケージ化された物品をさらに適切にリサイクルすることができる。パッケージ化された物品が廃棄されたときには、物品を被覆するフィルムを剥離するために、空のパッケージを回収して溶媒の浴槽に沈めれば十分である。次いで、スリーブはオーバーラップストリップ１５付近で自然に開放する。次いで、パッケージ化された容器、例えばポリエチレンテレフタレート製ボトルを回収するために、平坦なフィルムの状態に戻された開放したスリーブを回収すれば十分である。当然のことながら、そのような環境下においては、リサイクルするのに同様に適したプラスチック材料、例えば方向性ポリプロピレン（ＯＰＰ）からスリーブを形成することによって、パッケージのリサイクル可能性を全体として高めることができる。
【００４２】
オーバーラップストリップ１５に貼り付けるのに使用される物質、例えば接着剤またはワニスを、剥離式接着剤にしてもよく、それにより、スリーブ１１を開放するためにオーバーラップストリップ１５を容易に取り除くことができる。
【００４３】
本発明の他の変更例によれば、スリーブ１１の外面１４に接着しないフラップ、または隔離された場所のみにおいて外面に接着するフラップによってオーバーラップストリップ１５を当該オーバーラップストリップ１５の一側において延ばすことができる。そのような変更例は図９から図１５に示される。
【００４４】
図９および図１０においては、スリーブ１１の外面１４に接着しないフラップ１５．１によって、オーバーラップストリップ１５が当該オーバーラップストリップ１５の一側において横方向に延びているのが分かる。図９は、スリーブ１１の外面１４に結合されたオーバーラップストリップ１５の一部分を表す斜線部分を含んでいる。そのようなフラップは情報を担持するのに使用されるか、または変更例においては取外し可能なクーポン券を形成してもよい。このような場合には、フラップ１５．１は、スリーブ１１の外面１４に結合されたオーバーラップストリップ１５の一部分にライン２１のような切込み線を介して連結されている。
【００４５】
図１１および図１２は、フラップ１５．１およびフラップ１５．２によってオーバーラップストリップ１５が両方向において横方向に延びている変更例を示している。これらフラップ１５．１およびフラップ１５．２のそれぞれは関連づけられる切込み線２１を介して取外し可能である。
【００４６】
スリーブ１１の外面１４に接着しないそのようなフラップによって、他の機能、特に物品を保持する保持機能が形成されうる。このことは図１３および図１４に示されており、単一のフラップ１５’．１（図１３）または二つのフラップ１５’．１、１５’．２（図１４）が内部切欠部１８．１、１８．２を有しており、それにより、関連する各フラップはパッケージ化された物品を保持するハンドルとして使用されうるのが分かる。フィルムがまだ平坦であるときに切り込まれた内部切欠部がこれらフラップに存在することによって、スリーブが収縮するときに望ましくない変形が生じうる危険性につながる。しかしながら、このことはフラップが幅狭であるのでそれほど重要でない。幅広のフラップの場合には、補強要素を切欠の外形線周りに設けるようにしてもよい（そのような変更例は図示しない）。
【００４７】
図１５は、オーバーラップストリップ１５を横方向に延ばすフラップ１５．１により形成される他の機能を示す図である。この機能は、当該物品上で熱収縮したスリーブを剥離できる機能である。この場合には、オーバーラップストリップ１５はマイクロパーフォレーションからなる少なくとも一つの線１９を有している。引き開くことによってスリーブ１１を開放できるようにするために、マイクロパーフォレーションからなる線１９は対面する自由縁部１２．１、１２．２付近においてオーバーラップストリップ１５の長手方向に延びている。次いで、必要な引裂力をスリーブに及ぼすために、フラップ１５．１によってスリーブを把持するのが容易になる。
【００４８】
図１６においては他の変更例が示されている。図１６においては、オーバーラップストリップ１５は、ループをなしてフィルムを閉鎖する機能に加えて剥離ストリップの機能を有している。そのような状況下では、オーバーラップストリップ１５の少なくとも一つ結合領域付近、この場合には両方の結合領域においては、スリーブ１１の壁部はマイクロパーフォレーションからなる線２２を有し、それにより、オーバーラップストリップ１５を引っ張ることによってスリーブ１１を引き開くことができる。引き開くのに必要な力を容易に加えるために、図１６に示されるように、オーバーラップストリップ１５の一端においてオーバーラップストリップ１５をプルタブ２３により延ばすことができる。
【００４９】
従って、フィルムの対面する自由縁部が本質的に接触しているので、パッケージ用包装体は本質的に平滑な内面または外面を有する熱収縮スリーブにより形成される。本願明細書において使用される用語「本質的に接触（ｅｓｓｅｎｔｉａｌｌｙ  ｔｏｕｃｈｉｎｇ）」は０から１（ｔｅｎ−ｔｅｎｔｈ）ミリメートルのみの範囲にある縁部から縁部へのギャップをカバーする。ギャップが大きすぎるときは、鋭利な縁部を伴う従来のオーバーラップ部分に基づく欠点が再び現れる。
【００５０】
前述した包装体は単一の物品をパッケージ化することに関するが、複数の物品を包装することのできる複数の区画を有するスリーブに本発明を適用することができる。
【００５１】
本発明は前述した実施形態に限定されるものではないが、前述した本質的特徴を形成する均等な手段を使用するあらゆる変更例をカバーするものとする。
【図面の簡単な説明】
【００５２】
【図１】物品、この場合には香水用スプレの所定の位置に配置された本発明に基づくパッケージ用包装体を示す図であり、スリーブは、スリーブの外面に結合されたオーバーラップストリップを有する包装体を構成している。
【図２】図１の線ＩＩ−ＩＩに沿ってみたスリーブの断面図である。
【図３】前述したスリーブが熱収縮している物品を示す図である。
【図４】物品上で収縮したスリーブの一部を形成するオーバーラップストリップの領域を示す破断図である。
【図５】図１と同様の図であり、オーバーラップストリップがスリーブの内面に結合している変更例を示す図である。
【図６】図２と同様の図であり、オーバーラップストリップがスリーブの内面に結合している変更例を示す図である。
【図７】図４と同様の図であり、オーバーラップストリップがスリーブの内面に結合している変更例を示す図である。
【図８】本質的に平滑内面が装飾されているスリーブを示す斜視図である。
【図９】線Ｘ−Ｘに沿ってみた断面図であり、オーバーラップストリップが分離可能なフラップにより横方向に延びている変更例を示す図である。
【図１０】線Ｘ−Ｘに沿ってみた断面図であり、オーバーラップストリップが分離可能なフラップにより横方向に延びている変更例を示す図である。
【図１１】線ＸＩＩ−ＸＩＩに沿ってみた別の断面図であり、オーバーラップストリップが分離可能な二つのフラップにより横方向に延びている変更例を示す図である。
【図１２】線ＸＩＩ−ＸＩＩに沿ってみた別の断面図であり、オーバーラップストリップが分離可能な二つのフラップにより横方向に延びている変更例を示す図である。
【図１３】オーバーラップストリップがハンドルを形成する一つまたは二つのフラップにより横方向に延びている変更例を示す図である。
【図１４】オーバーラップストリップがハンドルを形成する一つまたは二つのフラップにより横方向に延びている変更例を示す図である。
【図１５】オーバーラップストリップがフラップかまたは開放用タブにより横方向に延びている変更例を示す図であり、関連する物品上で収縮状態にあるときに開放用タブはスリーブを開放する引張部材としての役目を果たす。
【図１６】オーバーラップストリップがフラップかまたは開放用タブにより横方向に延びている変更例を示す図であり、関連する物品上で収縮状態にあるときに開放用タブはスリーブを開放する引張部材としての役目を果たす。
【図１】
2005529815.tif 000003
【図２】
2005529815.tif 000004
【図３】
2005529815.tif 000005
【図４】
2005529815.tif 000006
【図５】
2005529815.tif 000007
【図６】
2005529815.tif 000008
【図７】
2005529815.tif 000009
【図８】
2005529815.tif 000010
【図９】
2005529815.tif 000011
【図１０】
2005529815.tif 000012
【図１１】
2005529815.tif 000013
【図１２】
2005529815.tif 000014
【図１３】
2005529815.tif 000015
【図１４】
2005529815.tif 000016
【図１５】
2005529815.tif 000017
【図１６】
2005529815.tif 000018
【国際調査報告】
2005529815.tif 000019
2005529815.tif 000020
2005529815.tif 000021
2005529815.tif 000022
2005529815.tif 000023
2005529815.tif 000024